(57)【要約】【課題】モバイルアプリケーションによってデスクトップにショートカットをインストールする方法及びそのシステムを提供する。【解決手段】モバイルデバイスのデスクトップにショートカットをインストールする方法は、ウェブサービスを提供するブラウザで接続アプリケーションをインポートしてインストール機能を起動し、接続アプリケーションが指定したＵＲＬスキームをインポートし、ウェブサービスのショートカットをデスクトップにインストールすることを含むショートカットインストール方法である。【選択図】図２
2014099147.tif 000002
【特許請求の範囲】
【請求項１】
モバイルデバイスのデスクトップにショートカットをインストールする方法において、
ウェブサービスを提供するブラウザで接続アプリケーションをインポートしてインストール機能を起動し、
前記接続アプリケーションが指定したＵＲＬスキームをインポートし、
前記ウェブサービスのショートカットをデスクトップにインストールすること、
を含むことを特徴とするショートカットインストール方法。
【請求項２】
前記ショートカットインストール方法はアンドロイド環境で適用され、
前記ブラウザでショートカットをインストールするためのリンクまたはアイコンの起動を識別して行われることを特徴とする請求項１に記載のショートカットインストール方法。
【請求項３】
前記接続アプリケーションは、前記ウェブサービスを提供することのできるブラウザ機能を含み、
前記ウェブサービスは、メールサービス、カフェ、辞書、ブログサービス、ショッピングモール、地図、不動産、オンラインストレージサービスのうち少なくとも１つのサービスを含むことを特徴とする請求項１に記載のショートカットインストール方法。
【請求項４】
前記ショートカットインストール方法は、
前記ショートカットを起動することを含み、
前記ショートカットを起動することは、前記接続アプリケーションで前記ウェブサービスを提供することを特徴とする請求項１に記載のショートカットインストール方法。
【請求項５】
前記ＵＲＬスキームをインポートすることは、前記接続アプリケーションが指定している前記ウェブサービスのメインページのＵＲＬスキームをインポートし、
前記ショートカットを起動するステップは前記ウェブサービスのメインページを提供することを特徴とする請求項４に記載のショートカットインストール方法。
【請求項６】
前記接続アプリケーションをインポートしてインストール機能を起動することは、
前記モバイルデバイスに前記接続アプリケーションがインストールされていない状態であるか、前記接続アプリケーションのバージョン情報が最新バージョンではないことを識別し、
ポップアップを提供してデジタルコンテンツプログラムに接続され、
前記デジタルコンテンツプログラムによって前記接続アプリケーションをインストール或いはアップデートすることを特徴とする請求項１に記載のショートカットインストール方法。
【請求項７】
モバイルデバイスのデスクトップにショートカットをインストールする方法において、
ウェブサービスを提供する接続アプリケーションでショートカットをインストールするためのリンクの起動を識別し、
前記接続アプリケーションが指定したＵＲＬスキームをインポートし、
前記ウェブサービスのショートカットをデスクトップにインストールすること、
を含むことを特徴とするショートカットインストール方法。
【請求項８】
前記接続アプリケーションは、前記ウェブサービスを提供することのできるブラウザ機能を備え、
前記ウェブサービスは、メールサービス、カフェ、辞書、ブログサービス、ショッピングモール、地図、不動産、オンラインストレージサービスのうち少なくとも１つのサービスを含むことを特徴とする請求項７に記載のショートカットインストール方法。
【請求項９】
前記ショートカットインストール方法は、
前記ショートカットを起動することを含み、
前記起動することは、前記接続アプリケーションで前記ウェブサービスを提供することを特徴とする請求項７に記載のショートカットインストール方法。
【請求項１０】
請求項１ないし請求項９のいずれか一項に記載の方法を起動するプログラムを記録したコンピュータで読み出し可能な記録媒体。
【請求項１１】
モバイルデバイスのデスクトップにショートカットをインストールするシステムにおいて、
ウェブサービスを提供するブラウザで接続アプリケーションをインポートしてインストール機能を起動するアプリ呼出部と、
前記接続アプリケーションが指定したＵＲＬスキームをインポートするＵＲＬ呼出部と、
前記ウェブサービスのショートカットをデスクトップにインストールするインストール部と、
を備えることを特徴とするショートカットインストールシステム。
【請求項１２】
前記ショートカットインストールシステムはアンドロイド環境で適用され、
前記ブラウザでショートカットをインストールするためのリンクまたはアイコンの起動を識別することを特徴とする請求項１１に記載のショートカットインストールシステム。
【請求項１３】
前記接続アプリケーションは、前記ウェブサービスを提供することのできるブラウザ機能を備え、
前記ウェブサービスは、メールサービス、カフェ、辞書、ブログサービス、ショッピングモール、地図、不動産、オンラインストレージサービスのうちの少なくとも１つのサービスを含むことを特徴とする請求項１１に記載のショートカットインストールシステム。
【請求項１４】
前記ショートカットインストールシステムは、
前記ショートカットを起動する起動部を備え、
前記起動部は、前記接続アプリケーション上で前記ウェブサービスを提供することを特徴とする請求項１１に記載のショートカットインストールシステム。
【請求項１５】
前記ＵＲＬ呼出部は、前記接続アプリケーションが指定している前記ウェブサービスのメインページのＵＲＬスキームをインポートし、
前記起動部は、前記ウェブサービスのメインページを提供することを特徴とする請求項１４に記載のショートカットインストールシステム。
【請求項１６】
前記アプリ呼出部は、
前記モバイルデバイスに前記接続アプリケーションがインストールされていない状態であること、或いはバージョン情報が最新バージョンではないことを識別し、
ポップアップを提供してデジタルコンテンツプログラムに接続され、
前記デジタルコンテンツプログラムによって前記接続アプリケーションをインストール或いはアップデートすることを特徴とする請求項１１に記載のショートカットインストールシステム。
【請求項１７】
モバイルデバイスのデスクトップにショートカットをインストールするシステムにおいて、
ウェブサービスを提供する接続アプリケーションでショートカットをインストールするためのリンクの起動を識別する識別部と、
前記接続アプリケーションが指定したＵＲＬスキームをインポートする呼出部と、
前記ウェブサービスのショートカットをデスクトップにインストールするインストール部と、
を備えることを特徴とするショートカットインストールシステム。
【請求項１８】
前記接続アプリケーションは、前記ウェブサービスを提供することのできるブラウザ機能を備え、
前記ウェブサービスは、メールサービス、カフェ、辞書、ブログサービス、ショッピングモール、地図、不動産、オンラインストレージサービスのうち少なくとも１つのサービスを含むことを特徴とする請求項１７に記載のショートカットインストールシステム。
【請求項１９】
前記ショートカットインストールシステムは、
前記ショートカットを起動する起動部を備え、
前記起動部は、前記接続アプリケーションで前記ウェブサービスを提供することを特徴とする請求項１７に記載のショートカットインストールシステム。
【発明の詳細な説明】
【技術分野】
【０００１】
本発明は、モバイルアプリケーションによってデスクトップにショートカットをインストールする方法及びシステムに関する。
【背景技術】
【０００２】
一般的にスマートフォンやタブレットＰＣなどのモバイルデバイスに特定サービスへのショートカット（短縮アイコン）をインストールするためには、アップストア（Ａｐｐ  Ｓｔｏｒｅ）やグーグルプレイ（Ｇｏｏｇｌｅ  Ｐｌａｙ）などのデジタルコンテンツプログラムに接続して所望するアプリケーションを検索してインストールする方法が主に用いられる。
【０００３】
このようなデジタルコンテンツプログラムの検索はユーザが不便さを感じることがある。ユーザがデバイスに適するアプリケーションを検索した時に数多いアプリケーションがリストされた目録があり、ユーザは前記リストされたアプリケーションをいちいち調べて、所望するアプリケーションを見つけなければならない不便さがある。
【０００４】
これに関連して大韓民国公開特許第２０１２−００３５４８０号では、移動通信端末及びそのアプリケーションインストール方法について開示されており、インタフェースによって内部プラットフォームに接続された外部プラットフォーム上に外部アプリケーションをインストールして起動させるための移動通信端末及びそのアプリケーションインストール方法が記載されている。
【０００５】
近年は、容易かつ便利にアプリケーションを検索してインストールするための様々な試みが提案されている。
【先行技術文献】
【特許文献】
【０００６】
【特許文献１】大韓民国公開特許第２０１２−００３５４８０号
【発明の概要】
【発明が解決しようとする課題】
【０００７】
本発明の目的は、ユーザが頻繁に用いるウェブサービスをより容易に利用するために、上記のような従来方式と比較して、デスクトップにショートカットを手軽にインストールする方法及び前記方法を実施するシステムを提供する。
【０００８】
また、本発明の他の目的は、接続アプリケーションによって提供される様々なウェブサービスへのショートカットをモバイルデバイスにインストールするための方法及びシステムを提供することにある。
【課題を解決するための手段】
【０００９】
本発明に係るモバイルデバイスのデスクトップ上にショートカットをインストールする方法は、ウェブサービスを提供するブラウザ上に接続アプリケーションをインポートしてインストール機能を起動し、前記接続アプリケーションが指定したＵＲＬスキーム（ｕｎｉｆｏｒｍ  ｒｅｓｏｕｒｃｅ  ｌｏｃａｔｏｒ）をインポートし、前記ウェブサービスへのショートカットを前記デスクトップにインストールすることとを含む。
【００１０】
本発明に係る一実施形態に係るショートカットインストール方法は、アンドロイド環境で適用され、ブラウザ上でショートカットをインストールするためのリンクまたはアイコンの起動を識別して行われてもよい。
【００１１】
本発明に係る他の一実施形態に係る接続アプリケーションは、ウェブサービスを提供可能なブラウザ機能を含み、前記ウェブサービスは、メール、カフェ、辞書、ブログ、ショッピング、地図、不動産、ウェブハードのうち少なくともいずれか１つのサービスを含んでもよい。
【００１２】
本発明に係る他の一実施形態に係るショートカットインストール方法は、ショートカットを起動することを含み、前記ショートカットを起動することは、接続アプリケーション上でウェブサービスを提供してもよい。
【００１３】
本発明に係る他の一実施形態に係るＵＲＬスキームをインポートすることは、接続アプリケーションが指定しているウェブサービスのメインページのＵＲＬスキームをインポートし、前記ショートカットの起動はウェブサービスのメインページを提供してもよい。
【００１４】
本発明に係る他の一実施形態に係る接続アプリケーションをインポートして、前記インストール機能を起動することは、モバイルデバイスに接続アプリケーションがインストールされていない状態であることを識別し、或いは前記接続アプリケーションのバージョン情報が最新バージョンではないことを識別して、デジタルコンテンツプログラムに接続するためのポップアップを提供し、前記デジタルコンテンツプログラムを通じて前記接続アプリケーションをインストールし、或いはアップデートするようにしてもよい。
【００１５】
本発明に係るモバイルデバイスのデスクトップにショートカットをインストールする方法は、ウェブサービスを提供する接続アプリケーション上にショートカットをインストールするためのリンクの起動を識別し、接続アプリケーションが指定したＵＲＬスキームをインポートし、ウェブサービスのショートカットをデスクトップにインストールすることを含む。
【００１６】
本発明に係るモバイルデバイスのデスクトップにショートカットをインストールするシステムは、ウェブサービスを提供するブラウザ上で接続アプリケーションをインポートしてインストール機能を起動するアプリ呼出部と、接続アプリケーションが指定したＵＲＬスキームをインポートするＵＲＬ呼出部と、ウェブサービスへのショートカットをデスクトップ上にインストールするインストール部とを備える。
【００１７】
本発明のモバイルデバイスのデスクトップにショートカットをインストールするシステムは、ウェブサービスを提供する接続アプリケーション上でショートカットをインストールするためのリンクの起動を識別する識別部と、接続アプリケーションが指定したＵＲＬスキームをインポートする呼出部と、ウェブサービスのショートカットをデスクトップにインストールするインストール部とを備える。
【００１８】
本発明に係る一実施形態に係るショートカットインストールシステムは、ショートカットを起動する起動部を備え、起動部は、接続アプリケーション上でウェブサービスを提供してもよい。
【発明の効果】
【００１９】
本発明によると、ユーザが頻繁に用いるウェブサービスをより容易に利用するよう、デスクトップにショートカットをインストールするが、上記のような従来の方式よって手軽にインストールされる方法及び方法を実施するシステムを提供することができる。
【００２０】
また、本発明によると、接続アプリケーションによって提供される様々なウェブサービスをモバイルデバイスにショートカットをインストールしてユーザに様々なウェブサービスをより手軽に提供することができる。
【図面の簡単な説明】
【００２１】
【図１】本発明の一実施形態において、デスクトップにショートカットのインストールリンクを提供するブラウザとウェブサービスを示す図である。
【図２】本発明の一実施形態において、ブラウザ上でショートカットがインストールされた実施形態を示す図である。
【図３】本発明の一実施形態において、デスクトップ上にインストールされたショートカットを起動させる実施形態を示す図である。
【図４】本発明の一実施形態において、既にインストールされたショートカットがデスクトップ上に重複していることを示す図である。
【図５】本発明の一実施形態において、接続アプリケーション環境内でショートカットを生成する方法を説明するための図である。
【図６】本発明の一実施形態において、接続アプリケーションが未だにインストールされていないか、或いはアップデートが必要な場合を示す図である。
【図７】本発明の一実施形態において、デスクトップにショートカットをインストールする方法を説明するためのフローチャートである。
【図８】本発明の一実施形態において、デスクトップ上にショートカットをインストールする方法の他の実施形態を説明するためのフローチャートである。
【図９】本発明の一実施形態において、デスクトップ上にショートカットをインストールするシステムの構成を説明するためのブロック図である。
【図１０】本発明の一実施形態において、デスクトップ上にショートカットをインストールするシステムの他の構成を説明するためのブロック図である。
【発明を実施するための形態】
【００２２】
以下、デスクトップにショートカットをインストールする方法及びそのシステムに対して添付する図面を参照しながら詳しく説明する。
【００２３】
本発明の実施形態は、様々なモバイルデバイスにおいて、ショートカットアプリケーションのようにデスクトップ上で起動されるウェブサービスを提供するためのものであり、実施形態において、前記デバイスはアンドロイドオペレーティングシステムを採用する。本発明の実施形態はデバイスの種類とランチャーなどに制限されず、様々な環境に容易に適用することのできる簡単なショートカットをインストールする方法及びそのシステムを提供する。
【００２４】
図１は、本発明の一実施形態において、デスクトップにショートカット（またはアイコン）をインストールするためのブラウザ及びウェブサービスを示す図である。ブラウザ１１０は、スマートフォン、タブレットＰＣなどのモバイルデバイスに含まれるブラウザプログラムまたはアプリケーションを起動させる画面である。本発明は、ブラウザ１１０で表示されているウェブサービスへのショートカットをインストールするものである。
【００２５】
図１に示すように、ブラウザ１１０の下段に当該ウェブサービスへのショートカットのインストールを勧告するリンク、または、アイコン（以下の説明ではリンクと統一して説明）１２０を表示するが、各ウェブサービスのメインページに制限されず、ウェブサービスのサブページ（ｓｕｂｐａｇｅ）にも同じリンク１２０が表示されてもよい。
【００２６】
本発明が適用されるモバイルデバイスはタッチスクリーンを備えており、静電式または感圧式のいずれかの方式を用いてもよい。したがって、図１に示すユーザは、手１３０の人差し指でブラウザのリンク１２０を選択することができ、ユーザの手１３０はモバイルデバイスによってはタッチペン等で代替されてもよい。
【００２７】
ブラウザ１１０では、メールサービス、カフェ、辞書、ブログ、ショッピングモール、地図、不動産、オンラインストレージサービスなどの様々のウェブサービスが提供することができる。実施形態において、提供される全てのウェブサービスを表示するページ、検索結果ページ、ログイン画面、個人情報に関するページなどのウェブサービスの共有画面に関して、利用条件、ヘルプ、問い合わせ、及び評価結果に関するページと同様に、デスクトップのショートカットインストールリンク１２０が設けられなくてもよい。
【００２８】
また、ブラウザ１１０で表示されるウェブサービスは、本発明の接続アプリケーションによって提供されるウェブサービスを含み、接続アプリケーションはウェブサービスを提供するためのブラウザ機能を含んでもよい。
【００２９】
図２は、本発明の一実施形態に係るブラウザ上にショートカットをインストールする実施形態を示す概略図である。ここで、ブラウザ２１０は図１に示されたブラウザ１１０に対応し、ブラウザ２１０はブログウェブサービスのサブページを表示し、ウェブページの下段にデスクトップ上にショートカットをインストールするためのリンク２２０がブラウザ２１０上に表示され、ユーザの手２３０の指またはタッチペンによってリンク２２０を選択してもよい。
【００３０】
リンク２２０を選択して起動すれば、ウェブサービスを提供するブラウザは、接続アプリケーション２４０をインポートして接続アプリケーション２４０を介してショートカットをデスクトップ上にインストールしてもよい。詳細には、ブラウザ２１０の環境で直接的に接続アプリケーション２４０を起動して、前記接続アプリケーション２４０は、デスクトップ上のリンク２２０を介して、選択したウェブサービスへのショートカットアイコンをデスクトップにインストールしてもよい。
【００３１】
ここで、接続アプリケーション２４０は、ウェブサービスのＵＲＬスキーム（Ｕｎｉｆｏｒｍ  Ｒｅｓｏｕｒｃｅ  Ｌｏｃａｔｏｒ  Ｓｃｈｅｍｅ）を指定して保存している。ショートカットをインストールするとき、接続アプリケーション２４０が指定しているウェブサービスのＵＲＬスキームをインポートし、このＵＲＬスキームに基づいて、アプリケーションインストールプログラムに代わって、ブラウザ２１０に表示されたウェブサービスへのショートカットをデスクトップにダウンロードしてもよい。
【００３２】
上記のようなＵＲＬスキーム動作について詳しく説明する。「ｈｔｔｐ：／／」、「ｆｔｐ：／／」、「ｍａｒｋｅｔ：／／」などの文字列をＵＲＬスキームという。実施形態において、ウェブサービスを提供するページでリンク２２０を起動するとき、該当するＵＲＬスキームがモバイルデバイスのシステムに送信されるが、システムで前記ＵＲＬスキームを識別し、前記ＵＲＬスキームに従って実行可能なアプリケーションをサーチしてもよい。そして、前記ＵＲＬに対応することができるアプリケーションがシステムに見つかれば、該当するアプリケーションを起動し、前記ＵＲＬスキームをアプリケーションに送信することによって前記ＵＲＬスキームに該当するウェブサービスへのショートカットのインストールが可能になる。ここで、当該のＵＲＬに対応することのできるアプリケーションが接続アプリケーション２４０に該当する。
【００３３】
接続アプリケーション２４０によってショートカットが生成されれば、ブラウザ２１０上にショートカットの生成が完了したとのポップアップ２５０を通知メッセージの形態で表示してもよい。本実施形態において、ポップアップ２５０はトーストポップアップ（Ｔｏａｓｔ  ｔｙｐｅ  ｐｏｐｕｐ）であり、モバイルデバイス（ｍｏｂｉｌｅ  ｄｅｖｉｃｅ）で提供してもよいが、デバイスの種類或いはランチャー（Ｌａｕｎｃｈｅｒ）のインストール有無などに応じて、前記ポップアップ２５０を相異するモードで表示してもよい。このように、本実施形態において、ショートカットの生成時の接続アプリケーション２４０の起動は、デバイス上に表示されなくても良く、ショートカットがインストールされたことを示すポップアップ２５０によってのみ報告されてもよい。
【００３４】
図３は、デスクトップ上にインストールされたショートカットを起動する本発明の実施形態を示す図である。前述したように、モバイルデバイス（ｍｏｂｉｌｅ  ｄｅｖｉｃｅ）のデスクトップ上に当該サービスのショートカットアイコンをインストールすると、図３に示すようにデスクトップ３１０が表示されてもよい。デスクトップ３１０は、図２に示すブラウザ２１０で利用したウェブサービスへのショートカット３２０、例えば、実施形態においてブログ（Ｂｌｏｇ）のショートカットを表示してもよい。
【００３５】
ショートカット３２０を起動すると、ショートカットのインストール時に参照されるＵＲＬスキームは、ウェブサービスのメインページに関するＵＲＬスキームに当該するため、当該ウェブサービスのメインページが表示される。接続アプリケーションによってインストールされたショートカット３２０は、接続アプリケーション環境３３０で起動されてもよい。前述したように、接続アプリケーションは、ブラウザの機能を含んでいる。または、実施形態に係るショートカット３２０がブラウザで起動されるか、或いは接続アプリケーション環境で起動されるかは、前記ショートカット３２０が起動される際に選択してもよい。
【００３６】
図４は、デスクトップにショートカットが既にインストールされている場合に表示される実施形態を示す図である。図２に示すようなブラウザ環境のウェブサービスページでショートカットのインストールのためのリンクを選択した後、システムでショートカットの重複可否を判断してもよいが、このとき表示されるページを示している。ブラウザでウェブサービスを利用するとき、前記ブラウザはデスクトップにショートカットがインストールされているか否かを確認することができないため、ショートカットのインストールの有無と関係なく、前記ブラウザはショートカットをインストールするためのリンクを表示している。
【００３７】
本実施形態において、ウェブサービスへのショートカットがデスクトップに既にインストールされている場合、当該ウェブサービスへのショートカットのインストールをブラウザで起動すると、ショートカットが既にインストールされているというポップアップ４１０をユーザに案内メッセージとして表示してもよい。
【００３８】
ここで、ポップアップ４１０はトーストポップアップであり、モバイルデバイスによって提供されてもよいが、前記ポップアップ４１０の表示時にユーザのタッチを識別しないポップアップであっても良い。前記ポップアップ４１０は一時的に表示されてすぐ消えるポップアップであってもよく、モバイルデバイスの種類やランチャーのインストールに応じて異なるモードで表示されてもよい。
【００３９】
ポップアップ４１０による通知後にブラウザが終了すれば、デスクトップ４２０のようにショートカットの重複を識別してショートカットがインストールされていないデスクトップが表示され、または、デスクトップ４３０のようにショートカットの重複は識別しても、この識別とは関係無くショートカットがインストールされたデスクトップが表示されてもよい。アンドロイドオペレーティングシステムを使用するモバイルデバイスには、デスクトップ４２０またはデスクトップ４３０が表示されてもよいが、いずれのデスクトップが表示されるかは、デバイスの種類とインストールされたランチャーの種類に応じて決定されてもよい。
【００４０】
他の実施形態として、図５は、本発明の実施形態において、接続アプリケーション環境５１０におけるショートカットのインストールを説明するための図である。
【００４１】
図５は、図２の実施形態の方法でウェブサービスページが表示されている。ブラウザ上では無く、接続アプリケーション環境５１０で実行されるショートカットのインストールが記載されている。詳細には、アプリケーション環境でも同じ方法でショートカットをインストールできる可能性が示されている。
【００４２】
接続アプリケーション５１０で提供されるウェブサービスページの下段にも、同様に、デスクトップ上にショートカットをインストールするためのリンク５２０が表示される。リンク５２０を手またはタッチペンを用いて選択すれば、デスクトップにショートカットがインストールされ、ショートカットのインストールが正常に行われたことを通知するポップアップ５３０をモバイルデバイスに表示してもよい。ここで、ポップアップ５３０はトーストポップアップとして、モバイルデバイスのシステムで表示されてもよい。
【００４３】
本実施形態において、接続アプリケーション環境５１０で実行されるものとして接続アプリケーションを別にインポートするステップは省略されてもよく、起動中のアプリケーションからＵＲＬスキームを迅速にインポートすることができる。このように、接続アプリケーション５１０で指定しているウェブサービスのＵＲＬスキームをインポートし、アプリケーションインストールプログラムに代わって、表示されているウェブサービスへのショートカットが、前記ＵＲＬスキームに基づいてダウンロードされる等によって、デスクトップ上に配置されてもよい。
【００４４】
図５に示すような接続アプリケーションを通じたショートカットのインストールの後、図３に示す実施形態が適用されてもよい。デスクトップにインストールされた接続アプリケーションを起動すれば、当該ウェブサービスのメインページが表示される。これは、ＵＲＬスキームがウェブサービスメインページのＵＲＬスキームに当該するためである。同様に、接続アプリケーションを介してインストールされたショートカットは、接続アプリケーション環境で起動されてもよい。
【００４５】
また、図６は、本発明の一実施形態において、接続アプリケーションがモバイルデバイスにインストールされていない場合、若しくはＵＲＬスキームをサポートするためにアップデートを要求する場合を図示する概略図である。図６において、接続アプリケーションのバージョンがＵＲＬスキームをサポートする最小バージョン未満のバージョンである場合に示される実施形態を説明するための図である。図６において接続アプリケーションは「ネイバーアプリ」と表示されている。
【００４６】
ブラウザ上でのウェブサービスへのショートカットをインストールする際、接続アプリケーションがないか、アップデートが必要なダウングレードバージョンの接続アプリケーションがインストールされている場合、システムはポップアップウィンドウ６１０を表示して接続アプリケーションをインストール、或いはアップデートするように誘導してもよい。
【００４７】
本実施形態において、ポップアップウィンドウ６１０の取り消しボタン（ｃａｎｃｅｌ  ｂｕｔｔｏｎ）を押し、モバイルデバイスの「戻る」ボタン（ｂａｃｋ  ｂｕｔｔｏｎ）を押す場合、ポップアップウィンドウ６１０が閉じられてショートカットインストールが取り消されても良い。アンドロイド環境でインターネットブラウザスキームを使用する場合には、自動的にアップデート及びインストールを実行するデジタルコンテンツプログラム６２０への接続が誘導されてもよい。例えば、グーグルプレイなどのアプリケーションにおいて、前記接続を誘導することができる。デジタルコンテンツプログラム６２０は、場合に応じてインストール画面やアップデート画面を表示してもよい。
【００４８】
本実施形態において、接続アプリケーションのインストール及びアップデートは、リンクとして表示されるインストールボタンまたはアップデートボタン６３０を選択すると、デジタルコンテンツプログラムを介して、前記接続アプリケーションがダウンロードしてインストールされることによって行われる。インストール及びダウンロードが完了すれば、再びウェブコンテンツを表示するブラウザに移動してショートカットのインストールが可能であり、該当するアイコンがデスクトップに生成される。
【００４９】
アンドロイド環境以外のオペレーティングシステム、例えば、アップルオペレーティングシステム（ｉＯＳ）である場合には、本発明のシステムでは前記ｉＯＳが読み取り不可能なＵＲＬとして識別されてエラーポップアップやウェブページが表示されることがあるため追加的な処理が求められる。
【００５０】
また、モバイルデバイスに保存されている接続アプリケーションを削除すると、発明の実施形態によってインストールされたウェブサービスへのショートカットアイコンが共に削除されてもよい。接続アプリケーションの削除はデバイス内で当該接続アプリケーションが完全に削除されることを意味し、デジタルコンテンツプログラムなどによって削除される。ここで、ショートカットアイコンは、接続アプリケーションのＵＲＬスキームを参照してインストールされたものであれば、デジタルコンテンツプログラムを介してインストールされたショートカットアイコンも共に削除されてもよい。
【００５１】
図７は、本発明の一実施形態において、モバイルデバイスのデスクトップにウェブサービスへのショートカットをインストールする方法を説明するためのフローチャートである。実施形態に係るショートカットをインストールする方法は、アンドロイドオペレーティングシステムを含むモバイルデバイスを介して行われてもよい。
【００５２】
ステップＳ７１０において、モバイルデバイスは、ウェブサービスを提供するブラウザ上で接続アプリケーションをインポートしてインストール機能を起動してもよい。例えば、デバイスは、ブラウザ上で提供されるショートカットのインストールに関連するリンクなどの起動を識別し、ステップＳ７１０で接続アプリケーションをインポートして、インストール機能を起動してもよい。実施形態において、前記リンクはウェブサービスのメインページだけではなくサブページにも表示されてもよく、ショートカットサービスを提供するウェブサービスは、メールサービス、カフェ、辞書、ブログサービス、ショッピングモール、地図、不動産、オンラインストレージサービスなどの様々なウェブサービスを含んでいてもよい。
【００５３】
ステップＳ７２０において、モバイルデバイスは、インポートされた接続アプリケーションが指定したＵＲＬスキームをインポートしてもよい。これに関連してＵＲＬスキームの機能について詳しく説明すると、ウェブサービスを提供するページでリンクを起動するとき、該当するＵＲＬスキームがモバイルデバイスシステムに送信される。前記システムでＵＲＬスキームを識別してＵＲＬスキームに対応して実行可能なアプリケーションが存在するかを探索してもよい。そして、システム内で前記ＵＲＬに適合するアプリケーションがあれば、該当のアプリケーションを起動させてＵＲＬスキームをアプリケーションに送信することでショートカットのインストールを可能にする。ここで、前記該当するアプリケーションは接続アプリケーションであってもよい。
【００５４】
本実施形態において、接続アプリケーションはウェブサービスのＵＲＬスキームを指定して保存し、本発明では前述のように機能するＵＲＬスキームを用いてもよい。
【００５５】
ここで、ステップＳ７１０では、接続アプリケーションがインストールされていない状態であるか、アップデートが必要なダウングレードバージョンであることを識別することができる。このような場合には、ステップＳ７２０において、適切にＵＲＬスキームの演算処理が行われることが難しいため、ポップアップによってデジタルコンテンツプログラムに接続して接続アプリケーションをインストール或いはアップデートするように表示することができる。
【００５６】
ステップＳ７３０において、インポートしたＵＲＬスキームを用いて当該ウェブサービスへのショートカットをデスクトップにインストールしてもよい。ここで、接続アプリケーションは、アプリケーションをインストールするグーグルプレイなどのデジタルコンテンツプログラムに代わって、アプリケーションをインストールする機能を行ってもよい。
【００５７】
ここで、ショートカットをインストールする方法は、ショートカットを起動するステップ（図示せず）を含んでもよく、ここで、モバイルデバイスは、ショートカットの起動時に接続アプリケーション環境でウェブサービスを提供してもよい。また、ショートカットを起動するステップで表示されるウェブページはウェブサービスのメインページとして、ステップＳ７２０でウェブサービスのメインページのＵＲＬスキームがインポートされる際に起動されてもよい。
【００５８】
本発明の実施形態において、図８は、接続アプリケーション環境でショートカットをインストールする方法を説明するためのフローチャートである。また、本発明の実施形態に係るショートカットのインストール方法は、スマートフォンやタブレットＰＣなどのようなモバイルデバイスのアンドロイド環境で実行されてもよい。ここで、接続アプリケーションは、ブラウザ機能を有するウェブサービスを提供する。
【００５９】
図８に示す実施形態では、接続アプリケーション環境でショートカットがインストールされるために、ステップＳ８１０において、モバイルデバイスは、ウェブサービスページでショートカットのインストールリンクの起動を識別してもよいが、別途の接続アプリケーションの呼出なしにステップＳ８１０が行われてもよい。
【００６０】
ステップＳ８１０において、インストールリンクの起動が識別されれば、モバイルデバイスはステップＳ８２０において、起動中の接続アプリケーションが指定するＵＲＬスキームをインポートしてもよい。ここで、接続アプリケーションが指定する前記ＵＲＬスキームは、ウェブサービスのメインページに対応してもよい。ウェブサービスの実施形態として、メールサービス、カフェ、辞書、ブログサービス、ショッピングモール、地図、不動産サービス、オンラインストレージサービスなどのウェブサービスがデスクトップにショートカットとしてインストールされてもよい。
【００６１】
ステップＳ８３０において、ＵＲＬスキームに基づいて該当するウェブサービスへのショートカットをデスクトップにインストールしてもよい。接続アプリケーションは、アプリケーションをインストールするグーグルプレイなどのデジタルコンテンツプログラムに代って、アプリケーションをインストールする機能を実行してもよく、このような実施形態を提供することによってユーザはモバイルデバイスのショートカットインストールをより簡単に起動することができる。
【００６２】
ショートカットインストール方法はショートカットを起動するステップ（図示せず）を含んでもよく、モバイルデバイスは、ショートカットの起動時に接続アプリケーション環境でウェブサービスを提供してもよい。また、ショートカットの起動ステップで提供されるウェブページとして、前記ウェブサービスのメインページが表示されるが、ウェブサービスのメインページのＵＲＬスキームがステップＳ８２０においてインポートされる際に、前記ウェブサービスのメインページが起動されてもよい。
【００６３】
図９及び図１０は、発明の実施形態において、ショートカットインストールシステム９００、１０００の構成を説明するためのブロック図であり、ショートカットインストールシステム９００は図７に示したショートカットインストール方法を行うために適しており、ショートカットインストールシステム１０００は図８に示したショートカットインストール方法を行うために適するものである。前記システム９００及び１０００は、モバイルデバイスのデスクトップ上にショートカットをインストールするためにモバイルデバイスに含まれてなるシステムである。
【００６４】
図９に示された実施形態によると、ショートカットインストールシステム９００は、アプリ呼出部９１０、ＵＲＬ呼出部９２０、インストール部９３０を備え、実施形態によっては、起動部９４０を更に備えてもよい。
【００６５】
アプリ呼出部９１０において、ショートカットをインストールするためのリンクまたはアイコンの起動を認知してから接続アプリケーションをインポートしてインストール機能を起動する場合、ＵＲＬ呼出部９２０は、接続アプリケーションが指定しているＵＲＬスキームを呼び出すこと、すなわち、インポートしてもよい。ＵＲＬスキームはウェブサービスに関するプロトコルを含み、インストール部９３０ではインポートしたＵＲＬスキームを参照してデスクトップに該当するウェブサービスへのショートカットをインストールしてもよい。また、システム９００は起動部９４０を備え、モバイルデバイスでショートカットが起動されるとき、接続アプリケーション環境で前記起動部９４０によってウェブサービスが提供されるようにしてもよい。
【００６６】
図１０に示す実施形態によると、ショートカットインストールシステム１０００は、識別部１０１０、呼出部１０２０、インストール部１０３０、及び起動部１０４０を備えてもよい。
【００６７】
識別部１０１０において、接続アプリケーション環境でショートカットをインストールするためのリンクの起動を識別すると、呼出部１０２０は起動中の或いは実行中の接続アプリケーションからサービスのためのＵＲＬスキームをインポートしてもよく、インストール部１０３０はＵＲＬスキームを参照してデスクトップにショートカットをインストールしてもよい。起動部１０４０は、ショートカットが起動されるときに接続アプリケーション環境でウェブサービスが提供されることを可能にする。ここで、接続アプリケーションはブラウザの機能を含んでもよい。
【００６８】
モバイルデバイスのデスクトップ上でのショートカットのインストールに関する説明は、図１ないし図６を参照して詳しく説明しているので、図７ないし図１０において繰り返しになる記載は省略される。
【００６９】
本発明の実施形態によって、ユーザが頻繁に使用するウェブサービスを容易に利用できるように従来方式よりも手軽にデスクトップにショートカットをインストールする方法及びその方法を実行するシステムを提供することができる。
【００７０】
また、接続アプリケーションによって提供される様々なウェブサービスをモバイルデバイスにショートカットをインストールすることで、ユーザは様々なウェブサービスをより手軽に利用することができる。
【００７１】
以上で説明した装置は、ハードウェア構成要素、ソフトウェア構成要素、及び／またはハードウェア構成要素及びソフトウェア構成要素の組合で実現されてもよい。例えば、実施形態で説明された装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を起動して応答することのできるいずれの装置のように、１つ以上の汎用コンピュータまたは特殊目的のコンピュータを用いて実現されてもよい。処理装置は、運用体制（ＯＳ）及び前記運用体制上で行われる１つ以上のソフトウェアアプリケーションを起動してもよい。また、処理装置はソフトウェアの起動に応答し、データをアクセス、保存、操作、処理及び生成してもよい。理解の便宜のために、処理装置は１つが使用されるものと説明される場合もあるが、当該の技術分野で通常の知識を有する者であれば、処理装置が複数の処理要素（ｐｒｏｃｅｓｓｉｎｇ  ｅｌｅｍｅｎｔ）及び／または複数類型の処理要素を含んでいることが分かる。例えば、処理装置は、複数のプロセッサまたは１つのプロセッサ及び１つのコントローラを含んでもよい。また、並列プロセッサ（ｐａｒａｌｌｅｌ  ｐｒｏｃｅｓｓｏｒ）のような他の処理構成（ｐｒｏｃｅｓｓｉｎｇ  ｃｏｎｆｉｇｕｒａｔｉｏｎ）も可能である。
【００７２】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、その中の１つ以上の組合を含んでもよく、希望する動作を行うように処理装置を構成したり独立的または結合的に（ｃｏｌｌｅｃｔｉｖｅｌｙ）処理装置を命令してもよい。ソフトウェア及び／またはデータは、処理装置によって解釈されたり処理装置に命令またはデータを提供するため、いずれの類型の機械、構成要素（ｃｏｍｐｏｎｅｎｔ）、物理的装置、仮想装置（ｖｉｒｔｕａｌ  ｅｑｕｉｐｍｅｎｔ）、コンピュータ保存媒体、装置、または送信される信号波（ｓｉｇｎａｌ  ｗａｖｅ）に永久的または一時的に具体化することができる。ソフトウェアはネットワークに接続されたコンピュータシステム上に分散され、分散された方法で保存されたり起動されてもよい。ソフトウェア及びデータは１つ以上のコンピュータで読み出し可能な記録媒体に保存されてもよい。
【００７３】
実施形態に係るショートカットインストール方法は、様々なコンピュータ手段によって起動されることができるプログラム命令形態で実現され、コンピュータで読み取り可能な媒体に記録されることができる。コンピュータで読み取り可能な媒体は、プログラム命令、データファイル、データ構造などを単独または組み合わせて含むことができる。媒体に記録されるプログラム命令は、本発明のために特別に設計されて構成されたものであってもよく、コンピュータソフトウェア当業者に公示されて使用可能なものであってもよい。
【００７４】
上述したように、本発明は限定された実施形態と図面によって説明されたが、本発明が上述した実施形態に限定されるものではなく、本発明が属する分野において通常の知識を有する者であれば、このような記載から多様な修正および変形が可能である。
【００７５】
したがって、本発明の範囲は上述した実施形態に限定されて定められてはならず、添付の特許請求の範囲だけではなく、この特許請求の範囲と均等なものによって定められなければならない。
【符号の説明】
【００７６】
９００、１０００      ショートカットインストールシステム
９１０      アプリ呼出部
９２０      ＵＲＬ呼出部
９３０、１０３０      インストール部
１０１０      識別部
１０２０      呼出部
９４０、１０４０      起動部
【図１】
2014099147.tif 000003
【図２】
2014099147.tif 000004
【図３】
2014099147.tif 000005
【図４】
2014099147.tif 000006
【図５】
2014099147.tif 000007
【図６】
2014099147.tif 000008
【図７】
2014099147.tif 000009
【図８】
2014099147.tif 000010
【図９】
2014099147.tif 000011
【図１０】
2014099147.tif 000012